(57)【特許請求の範囲】
【請求項１】
特に発酵剤の貯蔵および発酵のための容器用の、好ましくはコンクリート製の容器壁であって、上側縁の近傍には、容器をその上面で覆うプラスチック製の少なくとも１つのフィルムの縁をクランプ式に受け入れるための切り下げ部を備えた外向きに開くクランプ溝を有し、前記クランプ溝（１１２）は、狭小の外向きに開く入口スロット（１２４）を有し、その高さは、前記フィルム（１３０）がその周りに巻き付けられ得る、前記クランプ溝内に挿入可能な細長い挿入プロファイル（１２６）の高さよりも小さく、前記クランプ溝（１１２）、前記入力スロット（１２４）、および前記挿入プロファイル（１２６）の横断面寸法は、第１の位置にある前記挿入プロファイル（１２６）が、前記クランプ溝（１１２）内に挿入可能であり、第２の位置では、前記挿入プロファイルの周りに巻き付けられた前記フィルム（１３０）が張力下にあるときに前記クランプ溝から出ないように保持される、容器壁において、前記狭小の入口スロットが、上側突出部によってのみ画定され、一方で前記クランプ溝のほぼ平坦な下側壁は、突出部を有することなく、前記入口スロットに移行することを特徴とする容器壁。
【請求項２】
前記挿入プロファイル（１２６）が、所定の破損点（１３２）を有し、前記挿入プロファイル（１２６）は、所定の力が前記フィルム（１３０）上に作用するときにほぼ水平軸の周りで曲がることを特徴とする請求項１に記載の容器壁。
【請求項３】
前記挿入プロファイルは、最大許容力が前記フィルム上に及ぼされたときに、前記フィルムの非確動的な連結をそれ自体の変形によって緩めるまたは解放する材料から作り出されることを特徴とする請求項１または２に記載の容器壁。
【請求項４】
外向きに開く入口スロットを備えた内側のクランプ溝を有する環状のクランププロファイルが、前記容器壁の前記上側領域内に配置され、加えて、前記壁の近傍の前記フィルムの領域は、水平に対してある角度を含んでおり、前記クランププロファイルは、上側脚部と、前記最大許容張力負荷が前記フィルムにかけられるまで前記フィルムに対してほぼ平行にまたは小さい角度で延びるように前記フィルムに面する前記クランププロファイルの前記上側脚部に対して傾斜された下側脚部とを有し、それにより、前記上側脚部上の前記フィルムによってかけられた力が、前記脚部上に圧縮力としてその最大限まで作用することを特徴とする請求項１に記載の容器壁。
【請求項５】
前記クランプ溝および／または前記クランププロファイルが、前記コンクリート壁の材料で成形されることを特徴とする請求項１から４までのいずれか一項に記載の容器壁。
【請求項６】
特殊形状レール（３６）が、前記コンクリート壁内に少なくとも部分的に成型されることを特徴とする請求項５に記載の容器壁。
【請求項７】
前記特殊形状レール（１８ａ）が、外側から前記容器壁に締め付けられ得ることを特徴とする請求項１に記載の容器壁。
【請求項８】
前記特殊形状レールの前記上側縁または前記上側脚部が、前記容器壁（１４）の前記上面と同一平面になることを特徴とする請求項５または７に記載の容器壁。
【請求項９】
前記容器壁の前記上面（４４）が、外面に向かって持ち上がることを特徴とする請求項５に記載の容器壁。
【請求項１０】
前記特殊形状レール（３６）が、前記容器壁（１４）の前記上面の下方にある距離を離して配置され、前記壁上面の外側縁が丸くされることを特徴とする請求項５に記載の容器壁。
【請求項１１】
前記クランププロファイルが、２つまたはそれ以上のレール部分から構成されることを特徴とする請求項１に記載の容器壁。
【請求項１２】
前記クランププロファイルが、長手方向平面内で分割され、ウェブ領域内で非確動的に一緒に連結されるレール部分からなることを特徴とする請求項１に記載の容器壁。
【請求項１３】
前記クランプ溝および／または前記クランププロファイル（３６、１８ａ）が、永久的な型枠によって形成されることを特徴とする請求項１から１２までのいずれか一項に記載の容器壁。
【請求項１４】
前記永久的型枠が、レール形状（３６、１８ａ）であり、および／またはレール部分からなることを特徴とする請求項１３に記載の容器壁。
【請求項１５】
前記クランプ溝の前記入口スロットの近傍の前記下側壁が、取り外し可能にまたは移動可能になるように配置された、長手方向断面において隆起部分を有し、それにより、第１の位置では、これらは、前記クランプ溝内に位置する前記挿入プロファイル用の当接部を形成し、第２の位置では、前記当接部は、前記入口スロットから取り外されることを特徴とする請求項１から１４までのいずれか一項に記載の容器壁。
【請求項１６】
前記下側壁（３１６）の開口部内に挿入され得るまたはねじ込まれ得る当接要素（３２６、３２８）が、設けられることを特徴とする請求項１５に記載の容器壁。
【請求項１７】
前記下側壁（４０６）上に装着された折り畳み機構が、設けられ、
前記折り畳み機構は、前記第１の位置では前記当接部が折り上げられ、前記第２の位置では前記当接部が折り下げられるように構成されたことを特徴とする請求項１５に記載の容器壁。
【請求項１８】
前記下側壁（３１６）上に前部において取り外し可能にクランプすることができるように構成されたクランプ要素（３３０）が、設けられることを特徴とする請求項１５に記載の容器壁。
【請求項１９】
前記下側壁が、前記クランププロファイル（５００）の長手方向に離間して置かれた壁部分（５０２）からなることを特徴とする請求項１から１８までのいずれか一項に記載の容器壁。
【発明の詳細な説明】
【技術分野】
【０００１】
本発明は、請求項１に記載の容器壁に関する。
【背景技術】
【０００２】
例えば、いわゆるバイオガス工場における発酵剤の貯蔵および発酵用の容器は、かなり大きい寸法を有する。一般に、これらは、サイロのように形作られ、したがって、一般的には円形基部を有する。壁は、例えば、コンクリートから打設成型され、その上部のシールは、ガスの生成または圧縮空気の導入によって、張力がかけられた隆起した状態で保持される屋根形状のフィルムによって実施されることが多い。フィルムをその縁上で容器壁に対して効果的に固定するために、クランププロファイルを壁の上側の外側領域内に取り付けることも知られており、この外側領域内には、フィルムの縁が挿入され、クランプチューブによって固定される。
【０００３】
容器をその上部でシールするフィルムの縁領域を、上部において開かれ、かつ横断面においてＵ字形状である周囲スロット内に導入し、フィルム縁を固定するために膨張可能なチューブを導入することが、ＤＥ  １０  ６４  ８６９  Ａに開示されている。容器の外側に取り付けられたＣ字形状のレール内に、ガス貯蔵カバーおよびフィルム材料製のカバーの両方を固定し、クランプチューブが、フィルムをレールの内側に固定するためにレール内に挿入されることが、ＤＥ  １０  ２００６  ０３５  ２２７  Ｂ３に開示されている。
【０００４】
容器内に広がるガス圧力、支持する空気圧、または外部影響に応じて、対応する引張力が、フィルムを介してレール内に導入される。したがって、クランププロファイルの変形またはクランプチューブ内のクランプ力の欠如の結果、フィルムがレールから滑り出すリスクが存在する。
【０００５】
実際、これもまた、容器に対してフィルム（複数可）をしっかりとフランジ付けすることによって対処することもできる。フィルムは、破れるまで負荷の影響を受けることができる。欠点は、例えば保全目的でカバーを開く際の労力が大きいことである。さらには、カバーは、フィルムが破かれたときにその機能を失うことがあり、これは回避される必要がある。
【０００６】
フィルムによって覆われた容器用の容器壁は、国際公開第２０１０／０７５９８１  Ａ２号パンフレットで開示されており、ここでは、容器をその上面で覆うプラスチックフィルム用のクランプ溝には、狭小の、外向きに開く入口スロットが設けられ、この入口スロットは、上側および下側の突出部によって画定される。挿入プロファイルが、入口スロット内に挿入され、前記挿入プロファイルは、斜位置でクランプ溝内に導入されることが可能であり、突出部に対してほぼ平行な位置では、クランプ溝から出ることが突出部によって防止される。クランプ溝は、容器壁の材料内に一体的に形成されてよく、または容器壁上に配置される、またはその中に一体的に形成される、別個の特殊形状レールでもよい。２つの切り下げ部が、突出部によって形成され、これらは、別個のクランププロファイルが使用される、またはクランプ溝が容器壁の材料内に成形されるに関わらず、作り出すのに比較的コストがかかる。加えて、２つの突出部により、クランプ溝内への挿入プロファイルの導入はより難しくされ、かつ／またはクランプ溝の特有の成形によってのみ可能にされる。
【０００７】
また、クランププロファイルの下側脚部を別個に形成し、これを残りのプロファイルに枢動式にまたは変位式に取り付けることも知られている。したがって、組み立てを簡単にするためにクランプ溝の入口スロットを拡大するという可能性が提供される。
【発明の概要】
【発明が解決しようとする課題】
【０００８】
本発明の目的は、容器をその上面でシールするプラスチック製のフィルムを、屋根の形で固定するための装置を有する容器用の容器壁であって、さらにより簡単に作り出し、組み立てることができる、容器壁を提供することである。
【課題を解決するための手段】
【０００９】
この目的は、請求項１の特徴によって達成される。
【００１０】
本発明による容器壁内では、狭小の入口スロットが、上側突出部によってのみ画定され、一方でクランプ溝のほぼ平坦な下側壁は、突出部を有することなく入口スロットに移行する。
【００１１】
本発明では、挿入プロファイルをクランプ溝内に固定する場合、これは、張力がフィルムにかけられたとき、挿入プロファイルが、内側から上側突出部に当たり、挿入プロファイルが、クランプ溝の下側壁上に支持されるのに十分であることが認識されている。挿入プロファイルが下側縁で滑り出すリスクは存在しない。組立中、フィルムがその周りに配置された挿入プロファイルを挿入した後、張力がフィルムにかけられていない間は、挿入プロファイルの下側縁が入口スロットを超えて滑り出さないことを確実にすることのみ必要になり得る。しかし、簡単な手段がこれに利用可能である。
【００１２】
１つだけの上側突出部を有するクランプ溝を作り出すことは、入口スロットが上側および下側の突出部によって形成されるクランプ溝よりも生産技術の点で有意に簡単である。さらには、フィルムがその周りに配置された挿入プロファイルを本発明によるクランプ溝に挿入することは、知られているクランププロファイルで実施するよりも決定的に簡単である。さらには、クランプ溝の形状は、かなり簡易化され得る。クランプ溝の下側壁は、連続的である必要はなく、クランプ溝の長手方向に離間されて置かれた壁部分からなることができる。
【００１３】
本発明による容器壁は、好ましくは、コンクリートから作り出され、上側領域内において上向きに開くクランプ溝には、好ましくは横方向の入口スロットが設けられ、入口スロットの高さは、フィルムをその周りに置くことができる、クランプ溝内に挿入可能である細長い挿入プロファイルの高さよりも小さい。フィルムがその周りに巻き付けられた挿入プロファイルは、入口スロットに対して傾けられ、クランプ溝内の前記スロットを介して導入され、次いで、例えば縦位置に移動され、それにより、引張力がフィルム上に及ぼされたとき、挿入プロファイルは、入口スロットを画定する上側突出部に内側から押さえ付けられる。挿入プロファイルの下側縁は、クランプ溝のほぼ平坦な下側壁上に位置している。そのような構造により、高い引張力が、クランプ溝からフィルムが滑り出すリスクを有することなく吸収され得る。
【００１４】
大きすぎる力の発生時にフィルムが破れることを保護するために、本発明の一実施形態によれば、挿入プロファイルは、所定の破損点を有することができ、前記挿入プロファイルは、所定の最大力がフィルム上に作用するときにほぼ水平軸の周りで曲がる。本発明のさらなる実施形態によれば、挿入プロファイルは、最大許容力がフィルム上に到達したとき、フィルムの非確動的な連結を、それ自体の変形によって緩めるまたは解放する材料から作り出され得る。挿入プロファイルは、好ましくは、例えば連続鋳造、または例えば金属、ゴム、もしくはプラスチックからなる平坦な材料から作り出される。これは、平坦なストリップとして成形されてよく、または、曲げられもしくは折り畳まれてよく、または多少平坦なプロファイルのストリップでもよい。平坦なストリップは、矩形、台形、または角度付けられた横断面を有することができる。
【００１５】
容器内の圧力状態および屋根フィルム上に作用する風力に応じて、かなりの引張力がフィルム縁上に及ぼされる。したがって、引張力が特定の値を超えると、フィルム縁が引き抜かれるというリスクが存在する。このリスクは、レール形状のクランププロファイルの関連する脚部に対するフィルム縁の角度が、より大きい値を採用する場合に増大され、それにより、脚部は変形にさらされ、上向きに曲げられ、フィルム縁とクランププロファイルの間の非確動的な連結が弱められる。
【００１６】
本発明の一実施形態では、特に、より大きい引張負荷がフィルムにかけられるとき、前記フィルムに面する上側脚部上に作用する引張力は、実質的には圧縮力として脚部内に導入され、より小さい曲げモーメントとしてのみ脚部上で作用することが確実にされる。したがって、これは、フィルム縁が引き抜かれる結果となる、クランププロファイルの不利な変形をもたらさない。
【００１７】
フィルム縁は、例えば、水平に対して３０°から４５°の角度で延びる。フィルム縁に面するクランププロファイルの脚部は、好ましくは、同じ角度で延びる。その結果、水平脚部に比べると、レールが変形によって非確動的な連結を緩める前に、より大きい力がフィルムによってレール内に導入され得る。したがって、引張力の値がより大きい場合でも、クランププロファイル内にフィルム縁をしっかりと固定することが、本発明によって確実にされる。
【００１８】
そのような特殊形状レールは、容器壁の外側に締め付けられ得る。これを達成するために、さまざまな構造的可能性が存在する。本発明の一実施形態による１つの選択肢は、特殊形状レールが好ましくは溶接によって締め付けられた容器壁の外側に、縦の締め付けプロファイルが間隔をあけて取り付けられ得ることである。好ましくは連続的に互いに連結された長手方向部分からなるレールは、最初に曲げられ、次いで締め付けプロファイルに非確動的に連結される。前記締め付けプロファイルは、次いで、例えば適切な固定具によって容器壁に連結される。この場合の容器壁は、例えば、コンクリート、鋼、プラスチック、または木材などの非常にさまざまな材料からなることができ、かつ／または異なる材料の組み合わせからなることができる。
【００１９】
本発明のさらなる実施形態では、この連結において、締め付けプロファイルはＵ字形の断面のものであり、締め付けプロファイルのウェブは容器壁に連結できることが提供される。
【００２０】
特殊形状レールの形態のクランププロファイルは、容器壁内に成型されてもよい。この解決策でも、クランププロファイルが容器壁の上側縁からある特定の距離で配置されたときに、高い引張力が達成され得る。フィルム縁に面するレールの脚部の変形のリスクは存在しない。
【００２１】
本発明のさらなる実施形態では、特殊形状レールの上側縁または上側脚部は、容器壁の上面と同一平面である。本発明のさらなる実施形態によれば、容器壁の上面は、外面に向かって持ち上がることもできる。
【００２２】
クランププロファイルおよび／または特殊形状レールが、容器壁の上面からある距離を離して容器壁内に成型される場合、本発明のさらなる実施形態によれば、壁の外側の上側縁は丸くされる。このようにして、フィルムは、それほど応力にさらされない。
【００２３】
容器壁の材料内に特殊形状レールを一体的に形成するとき、好ましくは平坦な材料または連続鋳造から形成される特殊形状レールの材料の厚さは、力が容器壁の周囲の材料によってほぼ吸収されるので、非常に小さくすることだけが必要となる。
【００２４】
本発明による対策の結果、フィルムをクランプした後、挿入プロファイルは、下側壁に押し付けてしっかりと支持される。挿入プロファイルが入口スロットを超えて出るというリスクは、存在しない。しかし、このリスクは、挿入プロファイルの挿入直後の組立中および屋根フィルムを張る前に、潜在的に存在する。また、他の理由で、屋根フィルム上の張力が低減されるまたは解放されるというリスクも存在する。したがって、本発明の一実施形態は、クランプ溝の入口スロットの近傍の下側壁が、取り外し可能にまたは移動可能になるように配置された、長手方向断面において隆起部分を有し、それにより、第１の位置では、これらは、クランプ溝内に位置する挿入プロファイル用の当接部を形成し、第２の位置では、クランプ溝に面する下側壁の表面を広げることを提供する。フィルムがその周りに置かれた挿入プロファイルを装着する前、クランプ溝に面する下側壁の表面は、完全に開いており、それにより、挿入プロファイルをフィルムと共に困難なく挿入することができる。本発明の開示された実施形態によれば、一連の当接要素および／または隆起部分は、続いて装着され、それによって、軸受プロファイルの下側縁が入口スロットから滑り出すことを防止する。
【００２５】
さまざまな構造的選択肢が、開示された実施形態を実施するために考えられる。本発明の一実施形態によれば、下側壁の開口部内に挿入され得るまたはねじ込まれ得る当接要素が提供される。前記当接要素は、例えば、プラスチックからなることができる。
【００２６】
本発明のさらなる実施形態によれば、下側壁上に装着された折り畳み機構が提供される。折り畳み機構は、折り下げられた位置では、挿入プロファイルの自由な挿入を可能にし、折り上げられた位置では、挿入プロファイルを入口スロットから移動させるための当接部および／または妨害物を形成するように構成される。最後に、前部から下側壁上にこれもまたクランプすることができるクランプ要素が、当接部を形成するために設けられてよい。しかし、説明された当接部および隆起部分は、クランププロファイル内にフィルムを固定する機能には必要とされないことが、再度強調されなければならない。これらは、装着、およびクランププロファイルが、フィルム内の不十分な張力によって滑り出すというリスクが存在する場合の助けにすぎない。
【００２７】
本発明の例示的な実施形態は、これ以後、図を参照してより詳細に説明される。
【図面の簡単な説明】
【００２８】
【図１ａ】容器の概略平面図である。
【図１ｂ】線２−２に沿って図１による図を貫通した断面図である。
【図２】屋根フィルムを固定するための、図１ｂによる詳細ＩＩＩを示す図である。
【図３】屋根フィルムの固定のさらなる実施形態を示す図である。
【図４】屋根フィルムを固定するためのさらなる実施形態を示す図である。
【図５】屋根フィルムを固定するためのさらなる実施形態を示す図である。
【図６】屋根フィルムを固定するためのさらなる実施形態を示す図である。
【図７】屋根フィルムを固定するためのさらなる実施形態を示す図である。
【図８】屋根フィルムを固定するための本発明のさらなる実施形態を示す図である。
【図９ａ】図８に類似する実施形態を示す図である。
【図９ｂ】図８に類似する実施形態を示す図である。
【図１０】さまざまな当接要素を備えたクランププロファイルの斜視図である。
【図１１】クランプ機構を有する、本発明によるクランププロファイルを貫通する断面図である。
【図１２】図１１によるクランププロファイルの前面図である。
【図１３】本発明によるクランププロファイルのさらなる実施形態を示す図である。
【発明を実施するための形態】
【００２９】
容器１０が図１ａおよび図１ｂに示されており、前記容器は、コンクリート製の基部１２と、これもまたコンクリート製の円筒状壁１４とを備える。コンクリート壁は、例えば、外部および内部に配置された複数の型枠要素によって作り出される。少なくとも１つのプラスチックフィルム１６が、容器１０の上部を覆って伸張され、その縁は、上側領域内の壁１４の外面に固定され、これは以下でより詳細に説明される。例えば、発酵剤１８が、容器に配置される。手すり付きの周囲通路２０が、壁１４の外面上に示されている。通路は、これらもまた一緒に連結され得る個々の通路要素からなる。通路は、本発明にとって重要なものではない。図１ｂでは、外部の型枠２６および内部の型枠２７もまた示されている。型枠は、上記で述べたように壁を作り出す働きをし、型枠は、コンクリート壁１４を構築した後に取り外される。
【００３０】
図２では、容器壁の上側部分が１１０で示され、これはまた図３でも確認され得る。この上側部分は、基部１１４、上側壁１１６、および下側壁１１８を有するクランプ溝１１２を含む。遷移部では、壁は横断面において湾曲されている。（横断面において）下方向を向く突出部１２０により、狭小の入口スロット１２４が、溝１１２に向かって形成される。下側壁は、入口スロット１２４に連続的に移行する。平坦プロファイル１２６の形態のクランプ要素は、その高さおよび／または深さにおいてほぼ同じ寸法を有し、縁部が丸くされている。平坦プロファイル１２６の幅は、入口スロット１２４の高さより大きく、平坦プロファイル１２６が下側壁１１８上に配置されたときに、突出部１２０および壁１１８の内面によって保持されるように寸法設定される。点線で示され、１２６’で示された平坦プロファイル１２６の傾けられた位置で、前記平坦プロファイルは、入口スロット１２４を介して溝１１２内に挿入され得る。加えて、フィルム１３０は、平坦プロファイル１２６の周りに巻き付けられる。平坦プロファイル１２６を挿入し、平坦プロファイル１２６を壁１１８上に配置した後、フィルム１３０を引っ張ることによって、平坦プロファイル１２６は、入口スロットに平行なほぼ縦位置へと後方に傾けられる。その結果、フィルム１３０は、溝１１２内にクランプされ、引っ張り出すことはできない。
【００３１】
これもまた確認され得るが、平坦プロファイル１２６は、所定の破損点を形成する切欠部分１３２を有する。事故の場合、最後の手段とする所定の破損点は、フィルムが破かれることを防止し、緊急の圧力除去を確実にすることができる。
【００３２】
クランプ溝１１２はまた、例えば、以下でさらに説明される別個の特殊形状レールによって作り出すこともできることは言うまでもない。この場合、クランプ溝のプロファイルおよびクランプ溝内のクランプ要素は、フィルムを固定するために必須のものである。
【００３３】
図３〜図５では、容器壁１４の上側領域を貫通する断面が示されているが、この断面は、上側領域内では異なって構成されており、これは以下で説明される。さらには、外部型枠および内部型枠２６、２７はまた、コンクリートからの容器壁の生産中の図１ｂによって確認される。挿入プロファイルまたは平坦プロファイルは、説明目的のために省かれている。
【００３４】
図３では、箱形状の特殊形状レール３６が示されており、例えばこれは、図２に示すような形状を有する。見ることができるように、特殊形状レール３６は、上面および／または上側脚部が壁１４の水平の上面と同一平面になるように壁１４内に組み込まれる。生産中、特殊形状レール３６は、外部型枠２６（図示せず）に解放可能に連結される。壁１４の形成後、当然ながら型枠２６、２７は取り外されるが、外部型枠２６との解放可能な連結は、事前に取り外されている。特殊形状レール３６が次いで、壁１４に連結される。
【００３５】
特殊形状レールは、好ましくは、容器１０の周囲長さよりかなり短い特定の長さの個々の部分からなる。この場合、レール部分は、１つまたは複数の隣接する型枠要素に連結され得る。特殊形状レール３６および／またはその個々の部分には、壁１４内へと下向きに斜めに突出する、３８で示すような固定部分が設けられる。図３では、矢印４０により、図１ｂにおいて１６で記されたフィルムの引っ張る方向が示されている。フィルムは、特殊形状レール３６内に固定される。これは以下でさらに説明される。引っ張る方向４０の可変の角度は、フィルムのタイプ（ガス貯蔵フィルム、空気支持ドーム）および構造的条件によるものである。特殊形状レールの上側脚部上の圧力および曲げ力は、角度のサイズによって変化する。
【００３６】
図４による実施形態は、特殊形状レール３６が、壁１４の上面からある距離を離して組み入れられるという点で図３の実施形態とは異なる。この場合、特殊形状レール３６は、ここでも外部型枠２６に最初に連結される。縁が特殊形状レール３６内に固定されたフィルムは、最初、壁１４の外側に縦に延び、壁１４の丸くされた縁４２を介して上向きに斜めに誘導される。丸み部４２により、フィルムを偏向させることによって生じる応力が低減される。
【００３７】
図５では、特殊形状レール１８ａもまた、その上側縁が壁１４の上面と同一平面になるように壁１４内に組み入れられる。しかし、この上面は、４４で示すような傾斜部を有する。傾斜部は、外面の方に向けられる。レール１８ａは、さらに、壁１４が作り出されたときに外部型枠２６に解放可能に連結される。その後、この連結は解放され、それにより、外部型枠２６が取り外され得る。特殊形状レールの傾けられた取り付けは、フィルム縁の著しく大きい引張抵抗および／または特殊形状レールの有利な負荷かけが達成され得るという利点を有する。上側脚部は、その延長方向に大きく負荷がかけられ、屈曲部上は小さい。フィルム縁は、こうして、特殊形状レール１８ａ内に特にしっかりと保持される。
【００３８】
特殊形状レール２００が、図８において容器壁１４に取り付けられており、前記特殊形状レールは、下側の水平壁部分２０２、上側の屋根形状の壁部分２０４、および縦のウェブ部分２０６を有する。斜めの上側壁部分２０４は、下方向に縦に突起する突出部２０８に移行する。平坦プロファイル２１２が、このようにして形成されたクランプ溝２１０内に挿入され、前記平坦プロファイルの幅は、クランプ溝２１０内の入口スロット２１４の高さより大きい。入口スロットは、突出部を有することなく入口スロット２１４に移行するほぼ平坦な下側壁２０２および突出部２０８によって形成される。フィルム１３０（図２もまた参照）が、上側突出部２０８の周りおよび平坦プロファイル２１２の周りに巻き付けられ、それにより、入口スロット２１４の下側領域内で、フィルムは、下向き方向に前記入口スロットを離れる。フィルム１３０を引っ張る際、平坦プロファイル２１２は、上側領域内において、突出部２０８に押さえ付けられると同時に下側壁２０２に下向きに押さえ付けられ、それにより、このようにしてこのフィルム１３０は、特殊形状レール２００内に効果的にクランプされる。上側壁２１４の傾斜部は、フィルム１３０の角度の程度に対応する。しかし、これは必要条件ではない。原理上、上側壁２０４は、水平に延びることもできる。
【００３９】
下側壁２０２の下面上では、剛板等から作製された保持部分２１６が、間隔を開けて取り付けられ、前記保持部分は穴を備え、固定ねじをコンクリート壁１４内にねじ込むために、この穴から前記固定ねじ２１８が通され得る。特殊形状レール２００および／またはその長手方向部分は、平坦材料に縁付けすることによって形成されてよい。しかし、押出成形法による生産もまた考えられる。
【００４０】
特殊形状レールの形態のクランププロファイルを壁内に組み入れる代わりに、プラスチック製の押し込み式のプロファイルが、後で壁から取り外される型枠に、例えば加熱によってまたは試薬によって連結されてよい。その後、クランププロファイルは、クランプレールと同じ機能を有して壁内に留まる。
【００４１】
図６および図７では、クランププロファイルを形成するための他の選択肢が示される。図６では、外部型枠要素４０ａは、繊維コンクリート４２ａに解放可能に連結されるが、外側からアクセス可能にする必要がある解放可能な連結は、示されていない。繊維コンクリート部４２ａは、事前製作された溝４４ａを有し、打設成型する際、その中にコンクリートが組み入れられる（壁１４ａ）。繊維コンクリート部４２ａは、事前製作され得る。これは、建築現場に到着する前、現場から遠くで枠要素４０ａにすでに連結されてよく、または型枠要素４０ａに現場で連結されてもよい。
【００４２】
完全を期すためだけに、１つだけの型枠要素および／または１つの特殊形状の型枠要素が検討されることを言及しておくべきである。周囲方向で見て、複数の型枠要素４０ａが設けられ、これもまた複数の特殊形状の型枠部４２ａが設けられることは言うまでもない。
【００４３】
図７では、さらなる選択肢が示されている。この場合、コンクリート要素４６ａは、コンクリート壁１４ｂの上面に配置され、前記コンクリート要素には、クランプ溝４４ａが設けられる。コンクリート要素４６ａは事前製作され、下向きに突起する補強要素４８ａを有しており、この補強要素４８ａは、コンクリート要素４６ａを壁１４ｂに連結するために、壁１４ｂを打設成型した後、軟質コンクリート内に挿入され得る。この場合、型枠要素４０ａ、４０ｂは、容器壁１４ｂの高さよりわずかに低く、すなわち、仕上げられたコンクリート要素４６ａの高さだけ低減される。
【００４４】
図９ａでは、挿入プロファイル２１２が、縦位置で下方から入口スロット２１４内にどのように挿入されるかが示される。クランプ溝内では、挿入プロファイル２１２は、その下側縁を壁２０６の近傍内に置き、上側縁を内側から突出部２０８に当てて斜めに配置される。壁２０２に対する突出部は設けられない。同様に、挿入プロファイルの周りに配置されたフィルム１３０は、十分にクランプされており、滑り出すことはできない。
【００４５】
平坦プロファイル２１２の幅および下側壁２０２の幅に応じて、前記平坦プロファイルは、例えば図８によって必要とされるように、主に下側壁２０２が突出部２０８の高さまで延びるときは、スロット２１４内に斜め位置で挿入されなければならない。図９ａおよび図９ｂでは、壁２０２は、壁１４からの突出部２０８の距離より短く、それによってスロット２１４内への挿入プロファイル２１２の縦の挿入を可能にする。その後、これは、図９ｂによれば、斜めに配置される。
【００４６】
図１０は、入口スロット３１４を備えたクランププロファイル３００の一部の斜視図を示している。クランプ溝３１２は、下側の平坦壁３１６、後部壁３１８、上側壁３２０、および突出部として上部から入口スロット３１４を画定する、上側壁から外方の前部に縁付けられた部分３２２によって形成される。
【００４７】
当接要素３２６および／または３２８は、下側壁３１６の開口部内に挿入され得る。これらは、入口スロットの近傍に位置し、任意選択で取り外され得る。円筒状の当接要素３２８は、例えば、下側壁３１６の穴内にねじ込まれてもよい。当接要素３２６は、平坦であり、適切な穴内に挿入される立方体状の突出部を有する。当接要素は、例えば、プラスチックから作製される。
【００４８】
さらには、図１０では、Ｕ字形状の断面のばねクリップ３３０が示されており、このばねクリップ３３０は、下側壁３１６の前縁から前記縁上にクランプされ得る。クリップ３３０は、上側脚部上に、外向きに角度付けられた部分３３２を有し、この部分３３２はまた、入口スロット３１４を介してクランプ溝３１２内に挿入され得る挿入プロファイル（図示せず）用の当接部も形成する。しかし、この挿入に関しては、図示される当接要素は、一時的に取り外され得る。その後、これらは再度装着され得る。この当接要素は単なる例である。これらは、間隔をあけて配置され、この場合、当然ながら、図示される１つだけのタイプの要素が使用される。
【００４９】
図１１および図１２では、クランププロファイル４００の一部が、上側の屋根様の斜め壁４０２、後部壁４０４ならびに下側壁４０６を有して示されている。入口スロット４１０は、突出部を形成する上側壁４０２の角度付けされた部分４０８と下側壁４０６の間に形成される。挿入プロファイルはここでは示されていない。
【００５０】
板金部４１２は、下方から下側壁４０６に溶接される。一方の後縁４１４では、板金部は、後部壁４０４と位置合わせされる。前部に対しては、板金部４１２は、弓状縁４１６を有する。上側縁上では、板金部４１２は、切欠部４１８および／または凹部を有する。板金部４１２を通って、ピン４２０が延び、両側のその端部は、板金部４１２の上方に突起している。ピンは、板金部４１２の各側の保持具４２２から延び、その輪郭は図１１で見ることができる。保持具４２２は、ピン４２０がそれぞれ貫通して延びる細長い穴４２４を有する。矩形の当接部分４２６が、保持具４２２に溶接され、図１１に示す位置にある前記当接部分は、切欠部４１８内へと突起する。当接部分４２６が保持具と一緒に持ち上げられる場合、当接部分４２６は、切欠部を出て上昇され、それと共に保持具４２２は、点線で示すように時計周り方向に枢動され得る。この位置では、入口スロット４１０に面する下側壁４０６の表面は開いており、挿入プロファイルの簡単な挿入を可能にする。その後、図示される折り畳み機構は、挿入プロファイルがフィルムと共に滑り出すことを防止するために、再度枢動されて図１１に示す位置に戻され得る。
【００５１】
図１３では、図１０のものにほぼ類似するクランププロファイル５００が示されている。しかし、下側壁は個々の壁部分５０２に細分され、これらの部分は、間隔をあけて互いから分離されている。このようにして、クランププロファイル５００を作り出す際、例えば板金材料を縁付けする場合に、材料が削減され得る。
【図１ａ】
0005894606.tif 000002
【図１ｂ】
0005894606.tif 000003
【図２】
0005894606.tif 000004
【図３】
0005894606.tif 000005
【図４】
0005894606.tif 000006
【図５】
0005894606.tif 000007
【図６】
0005894606.tif 000008
【図７】
0005894606.tif 000009
【図８】
0005894606.tif 000010
【図９ａ】
0005894606.tif 000011
【図９ｂ】
0005894606.tif 000012
【図１０】
0005894606.tif 000013
【図１１】
0005894606.tif 000014
【図１２】
0005894606.tif 000015
【図１３】
0005894606.tif 000016